(57)【要約】【課題】画面の高精細化を図ることが出来るプラズマディスプレイパネルを提供する。【解決手段】隣接する表示ラインＬ１間において、背中合わせに位置する行電極Ｘ１とＹ１がバス電極Ｋｂを共有し、前面ガラス基板と背面ガラス基板１３の間の列電極Ｄ１の行電極Ｙ１に対向する部分以外の部分を覆う位置に、導電材料によって形成されて列電極Ｄ１と行電極Ｘ１との間において所要の電位を保持する電界遮断層１５が配置されている。【選択図】    図５
2008016373.tif 000002
【特許請求の範囲】
【請求項１】
一対の基板が放電空間を介して互いに対向され、
この一対の基板のうちの一方の基板側に、行方向に帯状に延びるとともに列方向に放電ギャップを介して並設された複数の行電極が設けられ、
前記行電極の列方向の一方の側が第１行電極部を構成し、他方の側が第２行電極部を構成し、この行電極の一方の側の第１行電極部と隣接する他の行電極の他方の側の第２行電極部が放電ギャップを介して対向されて、それぞれ表示ラインを形成する行電極対を構成し、
前記一対の基板のうちの他方の基板側に、列方向に延び行方向に並設された複数の列電極が設けられて、それぞれ交差する行電極対との間の放電空間に単位発光領域が形成され、
前記一対の基板の間の列電極の第２行電極部に対向する部分以外の部分を覆う位置に、導電材料によって形成されて列電極と第１行電極部との間において所要の電位を保持する電界遮断層が配置されていることを特徴とするプラズマディスプレイパネル。
【請求項２】
前記電界遮断層が、他方の基板側に配置されて、第２行電極部と列電極の第２行電極部に対向する部分に対向する位置に貫通口が形成されている請求項１に記載のプラズマディスプレイパネル。
【請求項３】
前記電界遮断層が列方向に延びる帯状に成形され、この帯状の複数の電界遮断層が、それぞれ、他方の基板側の列電極に対向する位置に、第２行電極部と列電極の第２行電極部に対向する部分に対向する位置に所要の隙間を空けた状態で、列電極に沿って配列されている請求項１に記載のプラズマディスプレイパネル。
【請求項４】
前記他方の基板側の列電極の第２行電極部に対向する部分以外の部分を覆う位置に、非誘電材料によって所要の厚さに形成された非誘電体層が電界遮断層に積層された状態で配置されている請求項１に記載のプラズマディスプレイパネル。
【請求項５】
前記一対の基板の間に、少なくとも行方向に延びる横壁を有していて放電空間を単位発光領域毎に区画する隔壁が設けられ、電界遮断層が、他方の基板に対して平行な底板部と、各単位発光領域内において第１行電極部側に位置する隔壁の横壁に沿って底板部から一方の基板側に立ち上がる側板部とを有している請求項１に記載のプラズマディスプレイパネル。
【請求項６】
前記列電極の第２行電極部に対向する部分の面積が、この列電極の第１行電極部に対向する部分の面積よりも大きくなっている請求項１に記載のプラズマディスプレイパネル。
【請求項７】
前記電界遮断層が、接地レベルの電位を保持する請求項１に記載のプラズマディスプレイパネル。
【請求項８】
前記電界遮断層に所要の電圧が印加されて、この電界遮断層が、列電極と第２行電極部との間で放電が発生される際の列電極の電位と第２行電極部の電位のほぼ中間の電位を保持する請求項１に記載のプラズマディスプレイパネル。
【発明の詳細な説明】
【技術分野】
【０００１】
この発明は、面放電方式交流型プラズマディスプレイパネルのパネル構造に関する。
【背景技術】
【０００２】
近年、面放電方式交流型プラズマディスプレイパネル（以下、ＰＤＰという）が、大型の薄型カラー画面表示装置として普及して来ている。
【０００３】
図１ないし３は従来のＰＤＰの構成を示しており、図１はこの従来のＰＤＰのパネル構造を模式的に示す正面図、図２は図１のＶ−Ｖ線における断面図、図３は図１のＷ−Ｗ線における断面図である。
【０００４】
この図１ないし３において、ＰＤＰの表示面となる前面ガラス基板１側には、その背面側に、それぞれ行方向に延び列方向に並設された複数の行電極対（Ｘ，Ｙ）と、この行電極対（Ｘ，Ｙ）を被覆する誘電体層２と、この誘電体層２の背面を被覆するＭｇＯからなる保護層３が形成されている。
【０００５】
各行電極対（Ｘ，Ｙ）は、互いに対になっている行電極ＸとＹによって構成され、各行電極Ｘ，Ｙは、それぞれ、行方向に帯状に延びるとともに列方向の幅が狭い金属膜からなるバス電極Ｘａ，Ｙａと、行方向に帯状に延びるとともに列方向の幅がバス電極Ｘａ，Ｙａよりも広いＩＴＯ等の透明導電膜からなる透明電極Ｘｂ，Ｙｂとによって構成されている。
【０００６】
各行電極Ｘ，Ｙは、行電極対（Ｘ，Ｙ）毎に、バス電極ＸａとＹａが列方向に所要の間隔を開けて配置され、透明電極ＸｂとＹｂが、それぞれ、基端側をバス電極Ｘａ，Ｙａに接続されてこのバス電極Ｘａ，Ｙａから対になっている相手の行電極側に張り出して、先端縁部が、互いに放電ギャップｇを挟んで対向されている。
【０００７】
そして、この各行電極対（Ｘ，Ｙ）によって、それぞれ、マトリクス表示の１表示ラインＬが構成されている。
【０００８】
一方、放電空間Ｓを介して前面ガラス基板１に平行に対向される背面ガラス基板４には、列方向に延び行方向に等間隔に並設された複数の列電極Ｄと、隣接する列電極Ｄの間の中間位置に対向する位置においてそれぞれ列方向に帯状に延びる複数の隔壁５が形成されている。
【０００９】
この隔壁５の側面と隣接する隔壁５の間の背面ガラス基板４の表面上に、それぞれ赤，緑，青の蛍光体層６Ｒ，６Ｇ，６Ｂが行方向に並ぶように形成されて、この各蛍光体層６Ｒ，６Ｇ，６Ｂによって、隣接する隔壁５の各中間位置に配置された列電極Ｄがそれぞれ被覆されている。
【００１０】
そして、前面ガラス基板１側および背面ガラス基板４側の上記の様な構成によって、各表示ラインＬを構成ずる行電極対（Ｘ，Ｙ）と列電極Ｄが交差する部分に対向する部分の放電空間Ｓに、それぞれ、ＰＤＰのパネル面に沿ってマトリクス状に配置される放電セルＣが形成され、さらに、この行方向において互いに隣接する放電セルＣのそれぞれの間が、隔壁５によって区画されている。
【００１１】
放電空間Ｓ内には、キセノンを含む放電ガスが封入されている（例えば、特許文献１参照）。
【００１２】
上記のＰＤＰにおける画像表示は、以下のようにして行われる。
【００１３】
すなわち、先ず、リセット期間に、各行電極対（Ｘ，Ｙ）において、放電ギャップｇを介して互いに対向する行電極Ｘの透明電極Ｘｂと行電極Ｙの透明電極Ｙｂ間において一斉にリセット放電が発生されて、誘電体層２の各放電セルＣに対向している部分に壁電荷が全て形成（または、誘電体層２の各放電セルＣに対向している部分の壁電荷が全て消去）される。
【００１４】
次のアドレス期間に、各行電極Ｙにスキャン・パルスが印加されるとともに、列電極Ｄに選択的に映像信号の画像データに対応したデータ・パルスが印加されて、このデータ・パルスが印加された列電極Ｄと行電極Ｙの透明電極Ｙｂとの間で選択的にアドレス放電が発生され、このアドレス放電が発生された放電セルＣに対向している部分の誘電体層２の壁電荷が消去（または、誘電体層２に壁電荷が形成）される。
【００１５】
これによって、パネル面に、対向している部分の誘電体層２に壁電荷が形成されている放電セル（発光セル）Ｃと、壁電荷が消去されている放電セル（非発光セル）Ｃとが、表示する画像に対応して分布される。
【００１６】
そして、この後、全表示ラインＬにおいて、一斉に、各行電極対（Ｘ，Ｙ）の行電極ＸとＹに対して交互にサステイン・パルスが印加されて、このサステイン・パルスが印加される毎に、各発光セル内においてサステイン放電が発生され、このサステイン放電によって放電空間Ｓ内の放電ガス中のキセノンから真空紫外線が発生されて、この真空紫外線によって各各発光セル内に形成されている赤，緑，青の蛍光体層６Ｒ，６Ｇ，６Ｂがそれぞれ励起されて発光し、これによって、パネル面に、マトリクス表示による画像が形成される。
【００１７】
上記のような構成のＰＤＰに対しては、年々、画面の精細度に対する要求が高まっている。
【００１８】
しかしながら、上記のような従来のＰＤＰにおいて、画面の高精細化（画素数の増加）を図るためにパネル面に形成される放電セルＣの数が増加すると、同じサイズのディスプレイパネルでは、画面の高精細化に伴って各放電セルＣの開口面積が小さくなり、蛍光体層の表面積の減少によって輝度が低下するとともに、各行電極対（Ｘ，Ｙ）の間のピッチが小さくなることによって、隣接する放電セルＣ間において誤放電が発生し易くなるという問題が生じる。
【００１９】
さらにまた、上記従来のＰＤＰは、行電極対（Ｘ，Ｙ）を構成する各行電極Ｘ，Ｙのそれぞれがバス電極と透明電極を備えているため、画面の高精細化による画素数の増加にともなって、パネル面における放電セルＣの開口面積に対する行電極対（Ｘ，Ｙ）の設置面積の割合が大きくなり、このため、画面の高精細化を図る際の余地が小さいという問題を有している。
【００２０】
例えば、上記従来の構成のＰＤＰでは、４０インチ・サイズでフルＨＤ仕様の解像度（１９２０×１０８０）のＰＤＰの製造において、赤，緑，青の三個の放電セルＣによって構成される画素の一辺の長さを４５０μｍとする場合には、各放電セルＣの開口部の寸法が１９０μｍ×１１０μｍとなって、著しく小さくなってしまい、プラズマの陽光柱（陰極と陽極との間の空間に発生するプラズマ）が充分に大きくなることが出来ないために、輝度の低下や発光効率の低下を招くことになる。
【００２１】
このため、上記従来の構成のＰＤＰでは、例えば２６インチ等の小型サイズのＰＤＰにおいて、画面の高精細化を図ることは極めて困難である。
【００２２】
【特許文献１】特開２００２−１９７９８１号公報
【発明の開示】
【発明が解決しようとする課題】
【００２３】
この発明は、上記のような従来のＰＤＰが有する問題点を解決することをその技術的課題の一つとしている。
【課題を解決するための手段】
【００２４】
この発明（請求項１に記載の発明）によるＰＤＰは、上記目的を達成するために、一対の基板が放電空間を介して互いに対向され、この一対の基板のうちの一方の基板側に、行方向に帯状に延びるとともに列方向に放電ギャップを介して並設された複数の行電極が設けられ、前記行電極の列方向の一方の側が第１行電極部を構成し、他方の側が第２行電極部を構成し、この行電極の一方の側の第１行電極部と隣接する他の行電極の他方の側の第２行電極部が放電ギャップを介して対向されて、それぞれ表示ラインを形成する行電極対を構成し、前記一対の基板のうちの他方の基板側に、列方向に延び行方向に並設された複数の列電極が設けられて、それぞれ交差する行電極対との間の放電空間に単位発光領域が形成され、
前記一対の基板の間の列電極の第２行電極部に対向する部分以外の部分を覆う位置に、導電材料によって形成されて列電極と第１行電極部との間において所要の電位を保持する電界遮断層が配置されていることを特徴としている。
【発明を実施するための最良の形態】
【００２５】
この発明によるＰＤＰは、一対の基板が放電空間を介して互いに対向され、この一対の基板のうちの一方の基板側に、行方向に帯状に延びるとともに列方向に放電ギャップを介して並設された複数の行電極が設けられ、行電極の列方向の一方の側が第１行電極部を構成し、他方の側が第２行電極部を構成し、この行電極の一方の側の第１行電極部と隣接する他の行電極の他方の側の第２行電極部が放電ギャップを介して対向されて、それぞれ表示ラインを形成する行電極対を構成し、一対の基板のうちの他方の基板側に、列方向に延び行方向に並設された複数の列電極が設けられて、それぞれ交差する行電極対との間の放電空間に単位発光領域が形成され、一対の基板の間の列電極の第２行電極部に対向する部分以外の部分を覆う位置に、導電材料によって形成されて列電極と第１行電極部との間において所要の電位を保持する電界遮断層が配置されているＰＤＰをその最良の実施形態としている。
【００２６】
この実施形態によるＰＤＰは、行電極にスキャン・パルスが印加され、列電極に選択的にデータ・パルスが印加されて、スキャン・パルスが印加された行電極の第２行電極部とデータ・パルスが印加された列電極との間でアドレス放電が発生される。
【００２７】
そして、このアドレス放電が発生される際に、行電極にスキャン・パルスが印加されると、この行電極の第１行電極部にも電位が発生するが、第１行電極部と列電極との間に介在されている電界遮断層が所要の電位を保持することによって、列電極の第１行電極部に対向する部分によって形成される電界が電界遮断層によって遮断されて、列電極と第１行電極部との間で放電が発生するのが阻止される。
【００２８】
従って、上記実施形態のＰＤＰによれば、隣接する表示ライン間において、背中合わせに位置する第１行電極部と第２行電極部が一体に形成されている場合でも、アドレス放電の際の列電極と第１行電極部との間での誤放電の発生が防止されるので、プログレッシブ走査駆動が可能となり、画面のちらつきが防止されるとともに、輝度の向上を図ることが出来る。
【００２９】
そして、上記ＰＤＰは、隣接する表示ライン間において背中合わせに位置する第１行電極部と第２行電極部が一体に形成されていることによって、表示ライン間に形成される非表示領域が従来のＰＤＰと比較して非常に小さくなり、画面の高精細化によりパネル面における放電セルの数が増加する場合でも、単位発光領域一個当たりの面積を従来のＰＤＰに比べて大きくすることが出来るので、充分な輝度を確保しながら画面の高精細化を図ることが可能となる。
【００３０】
上記実施形態のＰＤＰにおいて、一対の基板の間の列電極の第２行電極部に対向する部分以外の部分を覆う位置に電界遮断層を配置する構成としては、電界遮断層を他方の基板側に配置して、第２行電極部と列電極の第２行電極部に対向する部分に対向する位置に貫通口を形成する構成や、電界遮断層を列方向に延びる帯状に成形し、この帯状の複数の電界遮断層を、それぞれ、他方の基板側の列電極に対向する位置に第２行電極部と列電極の第２行電極部に対向する部分に対向する位置に所要の隙間を空けた状態で列電極に沿って配列する構成等がある。
【００３１】
これらの構成によって、アドレス放電発生の際の列電極と第１行電極部との間での誤放電の発生を防止しながら、列電極と第２行電極部との間で確実にアドレス放電を発生させることが出来るようになる。
【００３２】
また、上記実施形態のＰＤＰにおいて、他方の基板側の列電極の第２行電極部に対向する部分以外の部分を覆う位置に、非誘電材料によって所要の厚さに形成された非誘電体層を、電界遮断層に積層した状態で配置するようにしても良い。
【００３３】
この非誘電体層によって、列電極の第１行電極部に対向する部分において発生する電界が弱められるので、アドレス放電発生の際の列電極と第１行電極部との間での誤放電の発生をより確実に防止することが出来るようになる。
【００３４】
さらに、上記実施形態のＰＤＰにおいて、電界遮断層が、他方の基板に対して平行な底板部と、各単位発光領域内において第１行電極部側に位置する隔壁の横壁に沿って底板部から一方の基板側に立ち上がる側板部とを有するようにしても良い。
【００３５】
この電界遮断層に隔壁の横壁に沿って底板部から立ち上がる側板部が設けられていることによって、アドレス放電発生の際の列電極と第１行電極部との間での誤放電の発生をさらに確実に防止することが出来るようになる。
【００３６】
さらに、上記実施形態のＰＤＰにおいて、列電極を、その第２行電極部に対向する部分の面積が第１行電極部に対向する部分の面積よりも大きくなるように形成しても良い。
【００３７】
これによって、列電極と第２行電極部との間での放電が列電極と第１行電極部との間よりも発生し易くなる。
【００３８】
なお、上記実施形態のＰＤＰにおいて、電界遮断層の電位を、接地レベルか、または、所要の電圧を印加することによって列電極と第２行電極部との間で放電が発生される際の列電極の電位と第２行電極部の電位のほぼ中間の電位を保持するように設定するのが好ましく、これによって、アドレス放電発生の際の列電極と第１行電極部との間での誤放電の発生を確実に防止することが出来るようになる。
【実施例１】
【００３９】
図４および５は、この発明によるＰＤＰの実施形態における第１の実施例を示しており、図４はこの第１実施例のＰＤＰの一部を模式的に示す正面図であり、図５は図４のＶ１−Ｖ１線における断面図である。
【００４０】
この図４および５において、この第１実施例のＰＤＰは、表示面である前面ガラス基板１０の背面に、ＩＴＯ等の透明導電膜によって形成されて行方向（図４において左右方向）に延びる帯状の透明電極Ｋａが、列方向（図４において上下方向）に所要の大きさの間隔を開けて、等間隔に並設されている。
【００４１】
この透明電極Ｋａは、列方向に所要の幅を有している。
【００４２】
この各透明電極Ｋａの背面の列方向における中央位置には、行方向に延びる帯状の金属膜からなるバス電極Ｋｂが形成されて、それぞれ透明電極Ｋａに接続されている。
【００４３】
このバス電極Ｋｂの列方向の幅は、透明電極Ｋａの列方向の幅の数分の一の大きさに設定されている。
【００４４】
前面ガラス基板１０の背面には、さらに、透明な誘電材料によって誘電体層１１が形成されて、この誘電体層１１によって、透明電極Ｋａおよびバス電極Ｋｂが被覆されている。
【００４５】
この透明電極Ｋａは、バス電極Ｋｂに接続されている中央の部分から列方向において下側部分がバス電極Ｋｂとともに行電極Ｘ１を構成し、バス電極Ｋｂに接続されている中央部部分から列方向において上側部分がバス電極Ｋｂとともに行電極Ｙ１を構成している。
【００４６】
そして、列方向において互いに隣接する透明電極Ｋａの間に形成された隙間が放電ギャップｇ１を構成し、この放電ギャップｇ１を介して互いに対向する行電極Ｘ１とＹ１が対になって、行電極対（Ｘ１，Ｙ１）を構成している。
【００４７】
この各行電極対（Ｘ１，Ｙ１）によって、それぞれ表示ラインＬ１が形成される。
【００４８】
誘電体層１１の背面のバス電極Ｋｂに対向する位置には、誘電体層１１から背面側に突出するとともに、バス電極Ｋｂと平行に行方向に延びる嵩上げ誘電体層１２が形成されている。
【００４９】
そして、誘電体層１１および嵩上げ誘電体層１２の背面側には、ＭｇＯ等の高γ誘電体によって図示しない保護層が形成されて、この保護層により誘電体層１１および嵩上げ誘電体層１２の表面が被覆されている。
【００５０】
一方、前面ガラス基板１０と放電空間を介して対向する背面ガラス基板１３の前面ガラス基板１０と対向する側の面上には、列方向に帯状に延びる複数の列電極Ｄ１が、互いに所要の間隔を開けて行方向に等間隔に並設されている。
【００５１】
さらに、背面ガラス基板１３の前面ガラス基板１０と対向する側の面上には、所要の厚さの列電極保護層（誘電体層）１４が形成されて、この列電極保護層１４によって各列電極Ｄ１が被覆されている。
【００５２】
この列電極保護層１４上には、導電材料によって形成された電界遮断層１５が積層されている。
【００５３】
そして、この電界遮断層１５上に、バス電極Ｋｂに対向する位置においてバス電極Ｋｂと平行に行方向に延びる横壁１６Ａ、および、互いに隣接する列電極Ｄ１の間の中央位置に対向する位置においてそれぞれ列電極Ｄ１と平行に列方向に延びる縦壁１６Ｂとによって構成される略格子形状の隔壁１６が形成されて、この隔壁１６の横壁１６Ａと縦壁１６Ｂによって、前面ガラス基板１０と背面ガラス基板１３の間の放電空間が、パネル面にマトリクス状に配置される略方形の放電セルＣ１毎に区画されている。
【００５４】
電界遮断層１５には、互いに隣接する縦壁１６Ｂの間の位置において、透明電極Ｋａの行電極Ｙ１を構成する部分と列電極Ｄ１に挟まれて行電極Ｙ１と列電極Ｄ１の双方に対向する部分に、列電極Ｄ１の行方向の幅以上の大きさの行方向の幅を有する貫通口１５ｈが形成されており、前面ガラス基板１０側から見て、貫通口１５ｈが形成されている部分以外の列電極保護層１４の表面が、電界遮断層１５によって覆われている。
【００５５】
そして、電界遮断層１５には、この電界遮断層１５に対して後述するような所要の電位を保持させる図示しない電極端子が接続されている。
【００５６】
各放電セルＣ１内において、電界遮断層１５上および隔壁１６の横壁１６Ａ，縦壁１６Ｂの各側面の五つの面に、赤，緑，青の蛍光体層１７が形成されて、この蛍光体層１７によって色分けされた放電セルＣ１が、行方向に赤，緑，青の順に並ぶように配置されている。
放電空間内には、キセノンを含む放電ガスが封入されている。
【００５７】
次に、図６に示されるパルス出力タイミングチャートに基づいて、上記構成のＰＤＰの駆動方法について説明を行う。
【００５８】
このＰＤＰの駆動時には、電界遮断層１５は、電極端子を介して接地されるか、または、所要の電圧が印加されることによって、後述するようなアドレス放電期間に列電極Ｄ１と行電極Ｘ１との間で放電が発生するのを防止する所要の電位を保持するように設定される。
【００５９】
そして、このＰＤＰの駆動は、順次走査（プログレッシブ）駆動によって行われ、さらに、１フィールドの表示期間をＮビットの表示データに対応した個数のサブフィールドに分割して発光を行わせる、いわゆる、サブフイールド法によって行われる。
【００６０】
図６は、このサブフイールド法において、１フィールドの表示期間が複数個のサブフィールドに分割された際の、一つのサブフィールドのパルス出力タイミングチャートを示しており、各サブフィールドは、それぞれ、リセット放電期間Ｒｃとアドレス放電期間Ｗｃ，サステイン放電期間Ｉｃから構成されている。
【００６１】
この図６において、先ず、最初のリセット放電期間Ｒｃに、隣接するバス電極Ｋｂに、互いに電位が逆のリセット・パルスＲＰａ，ＲＰｂが、一斉に印加される。
【００６２】
これによって、表示ラインＬ１を構成する各行電極対（Ｘ１，Ｙ１）において、放電ギャップｇ１を介して互いに対向している行電極Ｘ１とＹ１（透明電極Ｋａのそれぞれ行電極Ｘ１を構成している部分と行電極Ｙ１を構成している部分）が互いに逆の電位を有するようになることによって、全ての放電セルＣ１内において、行電極Ｘ１とＹ１との間で放電ギャップｇ１を介してリセット放電が発生される。
【００６３】
例えば、図示のように、奇数行目のバス電極Ｋｂにマイナスのリセット・パルスＲＰａが印加され、偶数行目のバス電極Ｋｂにプラスのリセット・パルスＲＰｂが印加されると、奇数行目の表示ラインＬ１ｏを構成する行電極対（Ｘ１，Ｙ１）においては、行電極Ｘ１がマイナスの電位を有し行電極Ｙ１がプラスの電位を有するようになり、偶数行目の表示ラインＬ１ｅを構成する行電極対（Ｘ１，Ｙ１）においては、行電極Ｘ１がプラスの電位を有し行電極Ｙ１がマイナスの電位を有するようになって、全ての放電セルＣ１内において、行電極Ｘ１とＹ１との間で放電ギャップｇ１を介してリセット放電が発生される。
【００６４】
そして、このリセット放電によって、各放電セルＣ１に対向している誘電体層１１の部分の全てに壁電荷が形成される。
【００６５】
例えば、上記の例においては、図６の図中に表示されているように、奇数行目の表示ラインＬ１ｏに沿って配列されている放電セルＣ１に対向する部分の誘電体層１１には、行電極Ｘ１に対向する側の部分にプラス極性の壁電荷が形成され、行電極Ｙ１に対向する側の部分にマイナス極性の壁電荷が形成される。
【００６６】
次に、アドレス放電期間Ｗｃにおいて、バス電極Ｋｂ2〜Nに対して、負電位のスキャン・パルスＳＰが順次印加されるとともに、各列電極Ｄ１に対して、映像信号の表示データに対応したデータ・パルスＤＰが選択的に印加されて、スキャン・パルスＳＰが印加されているバス電極Ｋｂ2〜N を含む行電極Ｙ１とデータ・パルスＤＰが印加された列電極Ｄ１との間で、放電セルＣ１内で選択的にアドレス放電が発生される。
【００６７】
なお、一行目のバス電極Ｋｂ1 には、このバス電極Ｋｂ1 がアドレス放電に関与しない行電極Ｘ１のみを構成しているので、スキャン・パルスは印加されない。
【００６８】
このとき、奇数行目の表示ラインＬ１ｏに沿って配列されている放電セルＣ１に対向する部分の誘電体層１１には、前述したように、リセット放電によって、行電極Ｘ１に対向する側の部分にプラス極性の壁電荷が形成され、行電極Ｙ１に対向する側の部分にマイナス極性の壁電荷が形成されている。
【００６９】
従って、列電極Ｄ１に放電セルＣ１を選択するための正電位のデータ・パルスＤＰが印加されると、このデータ・パルスＤＰが印加された列電極Ｄ１と、奇数行目の表示ラインＬ１ｏを構成する行電極対（Ｘ１，Ｙ１）のスキャン・パルスＳＰが印加されている行電極Ｙ１との間でアドレス放電が発生して、誘電体層１１の行電極Ｙ１に対向する側の部分の壁電荷は、消去されてゼロ極性にされるか、または、プラス極性に変換される。
【００７０】
図６中、壁電荷ＳＣは、選択された放電セルＣ１においてはゼロまたはプラス極性を示し、選択されない放電セルＣ１においてはマイナス極性を示している。
【００７１】
偶数行目の表示ラインＬ１ｅに沿って配列されている放電セルＣ１に対向する部分の誘電体層１１には、前述したように、リセット放電によって、行電極Ｘ１に対向する側の部分にマイナス極性の壁電荷が形成され、行電極Ｙ１に対向する側の部分にプラス極性の壁電荷が形成されており、奇数行目の表示ラインＬ１ｏに沿って配列されている放電セルＣ１の壁電荷と逆の極性になっている。
【００７２】
このため、偶数番目のバス電極Ｋｂ2,4… には、スキャン・パルスＳＰが印加された直後に負電圧パルスＶＰｅが印加され、奇数番目のバス電極Ｋｂ3、5… には、スキャン・パルスＳＰが印加される直前に正電圧パルスＶＰｏが印加される。
【００７３】
そして、この負電圧パルスＶＰｅと正電圧パルスＶＰｏの印加は、隣接するバス電極Ｋｂ間において同じタイミングで行われ、偶数行目の行電極対（Ｘ１，Ｙ１）を構成している行電極Ｘ１とＹ１の間で、放電ギャップｇ１を介して放電（この放電を極性反転放電と呼ぶ）が発生される。
【００７４】
この極性反転放電によって、偶数行目の表示ラインＬ１ｅに沿って配列されている放電セルＣ１に対向する部分の誘電体層１１の壁電荷の極性が反転して、奇数行目の表示ラインＬ１ｏに沿って配列されている放電セルＣ１の壁電荷と同じ極性（行電極Ｘ１に対向する側の部分の壁電荷がプラス極性、行電極Ｙ１に対向する側の部分の壁電荷がマイナス極性）となる。
【００７５】
この負電圧パルスＶＰｅの電圧値と正電圧パルスＶＰｏの電圧値は、それぞれ、偶数行目の表示ラインＬ１ｅに沿った放電セルＣ１でのみ極性反転放電が発生され、隣接する両側の奇数行目の表示ラインＬ１ｏに沿った放電セルＣ１で放電を発生させない値に設定されている。
【００７６】
すなわち、負電圧パルスＶＰｅの電圧値と正電圧パルスＶＰｏの電圧値は、ＶＰｏ−ＶＰｅが放電開始電圧よりも大きく、かつ、ＶＰｅとＶＰｏのそれぞれが単独では放電開始電圧に達しない条件、すなわち、
ＶＰｏ−ＶＰｅ＞（放電開始電圧）＞｜ＶＰｅ｜，｜ＶＰｏ｜
の条件を満足する値に設定されている。
【００７７】
この極性反転放電の発生の後（奇数番目のバス電極Ｋｂ3、5… に正電圧パルスＶＰｏが印加された後）、奇数番目のバス電極Ｋｂ3、5… にスキャン・パルスＳＰが印加されると、データ・パルスＤＰが印加された列電極Ｄ１と交差する部分の放電セルＣ１内において、列電極Ｄ１と偶数行目の表示ラインＬ１ｅを構成する行電極対（Ｘ１，Ｙ１）の行電極Ｙ１との間でアドレス放電が発生して、誘電体層１１の行電極Ｙ１に対向する側の部分の壁電荷は、消去されてゼロ極性になるか、プラス極性に変換される。
【００７８】
以上のようにして、各奇数行目の表示ラインＬ１ｏに沿った放電セルＣ１および偶数行目の表示ラインＬ１ｅに沿った放電セルＣ１内において、それぞれ、選択的にアドレス放電が行われて、発光セル（行電極Ｙ１に対向する部分のマイナス極性の壁電荷が消去された放電セルＣ１）と非発光セル（行電極Ｙ１に対向する部分の壁電荷がマイナス極性のままの放電セルＣ１）とが画像データに基づいてパネル面に分布される。
【００７９】
このアドレス放電期間Ｗｃの終了後、次のサステイン放電期間Ｉｃにおいて、奇数番目のバス電極Ｋｂ1,3、5…と偶数番目のバス電極Ｋｂ2,4…に交互に正電位のサステイン・パルスＩＰが交互に印加される。
【００８０】
そして、このサステイン・パルスが印加される毎に、発光セル内においてサステイン放電が繰り返し発生されて、放電ガス中のキセノンから発生する真空紫外線により各放電セルＣ１の赤，緑，青の蛍光体層１７が励起されて可視光が発生されることにより、マトリクス表示による画像が形成される。
【００８１】
上記ＰＤＰは、その駆動時において、アドレス放電期間Ｗｃにおけるアドレス放電が、電界遮断層１５のそれぞれ行電極Ｙ１に対向する位置に形成された貫通口１５ｈを介して行電極Ｙ１と列電極Ｄ１との間で行われ、行電極Ｘ１と列電極Ｄ１との間で行われることはない。
【００８２】
すなわち、上記ＰＤＰは、列電極Ｄ１の貫通口１５ｈに対向する部分以外の部分が導電材料によって形成された電界遮断層１５に対向されており、この電界遮断層１５が、前述したように、電極端子を介して接地されるか、または、所要の電圧が印加されて所要の電位、例えばデータ・パルスＤＰが印加された際の列電極Ｄ１の電位とスキャン・パルスＳＰが印加された際の透明電極Ｋａの電位のほぼ中間レベルの電位に維持されていて、データ・パルスＤＰが印加された際に列電極Ｄ１によって形成される電界が、貫通口１５ｈの形成位置以外の部分において遮断されて、放電セルＣ１内に漏れ出ないようになっている。
【００８３】
そして、列電極Ｄ１の貫通口１５ｈに対向している部分と行電極Ｘ１との間の距離ｄｘが、行電極Ｙ１との間の距離ｄｙよりも大きくなっていることによって、行電極Ｘ１と列電極Ｄ１間において放電が発生する場合の放電開始電圧（Ｖｘｄ）が、行電極Ｙ１と列電極Ｄ１間のアドレス放電の放電開始電圧（Ｖｙｄ）よりも大きくなるため、放電が行電極Ｘ１と列電極Ｄ１との間で発生する前に、行電極Ｙ１と列電極Ｄ１との間で放電が開始される。
【００８４】
例えば、距離ｄｘが２１０μｍであるようなＰＤＰにおいては、距離ｄｙが約１７０μｍとなり、この距離の違いによって行電極Ｘ１と列電極Ｄ１の間および行電極Ｙ１と列電極Ｄ１の間に互いに放電開始電圧に差が発生し、距離ｄｙが短い行電極Ｙ１と列電極Ｄ１間の放電開始電圧（Ｖｙｄ）の方が小さくなって、行電極Ｙ１と列電極Ｄ１との間で放電が開始される。
【００８５】
従って、上記ＰＤＰのように、列方向において隣接する表示ラインＬ１間において背中合わせに位置する行電極Ｘ１とＹ１がバス電極Ｋｂを共有している場合でも、バス電極Ｋｂにスキャン・パルスが印加された際に、透明電極Ｋａの行電極Ｙ１を構成する側でのみ列電極Ｄ１との間でアドレス放電が発生され、他方の行電極Ｘ１を構成する側において列電極Ｄ１との間で誤放電が発生する虞は無い。
【００８６】
そして、電界遮断層１５の電位が任意に設定されることによって、行電極Ｘ１と列電極Ｄ１間の放電開始電圧（Ｖｘｄ）と、行電極Ｙ１と列電極Ｄ１間の放電開始電圧（Ｖｙｄ）との間の選択マージンを広く取ることができ、隣接する放電セルＣ１間での誤放電の発生を確実に防止することが出来るようになる。
【００８７】
以上のように、上記構成のＰＤＰによれば、隣接する表示ラインＬ１間において、背中合わせに位置する行電極Ｘ１とＹ１がバス電極Ｋｂを共有している場合でも、アドレス放電の際の誤放電の発生が防止されるので、プログレッシブ走査駆動が可能となり、画面のちらつきが防止されるとともに、輝度の向上が図られる。
【００８８】
そして、上記ＰＤＰは、隣接する表示ラインＬ１間において背中合わせに位置する行電極Ｘ１とＹ１がバス電極Ｋｂを共有していることによって、表示ラインＬ１間に形成される非表示領域が従来のＰＤＰと比較して非常に小さくなるので、画面の高精細化によってパネル面における放電セルの数が増加する場合でも、放電セル一個当たりの面積を従来のＰＤＰに比べて大きくすることが出来、これによって、高精細パネルにおいても充分な輝度を確保することが出来るようになる。
【実施例２】
【００８９】
図７および８は、この発明によるＰＤＰの実施形態における第２の実施例を示しており、図７はこの第２実施例のＰＤＰの一部を模式的に示す正面図であり、図８は図７のＶ２−Ｖ２線における断面図である。
【００９０】
前述した第１実施例のＰＤＰの電界遮断層１５が列電極保護層１４の貫通口１５ｈに対向する部分を除く全ての部分を覆っていたのに対し（図４および５参照）、この第２実施例のＰＤＰは、導電材料によって形成されて列電極保護層１４上に積層される電界遮断層２５が、それぞれ、行方向の幅が列電極Ｄ１の幅よりも広く列方向に帯状に延びる短冊状の平面形状を有していて、この短冊状の複数の電界遮断層２５が、各列電極Ｄ１に沿って平行に、かつ、透明電極Ｋａの行電極Ｙ１を構成する部分に対向する位置に所定の間隔の隙間ｓ１を開けて配列されている。
【００９１】
そして、この各列電極Ｄ１に沿って配列された複数の電界遮断層２５は、図示しない導線によって全て互いに電気的に接続されており、さらに、パネル面の周縁部に位置する何れかの電界遮断層２５に図示しない電極端子が接続されている。
【００９２】
この電界遮断層２５および電界遮断層２５が積層されていない部分の列電極保護層１４は、その表面が放電セルＣ１内に形成された蛍光体層１７によって覆われている。
【００９３】
この第２実施例のＰＤＰの他の部分の構成は第１実施例と同様であり、図７および８において第１実施例と同一の構成部分については、図４および５と同一の符号が付されている。
【００９４】
上記構成のＰＤＰの駆動方法は、図６に示されるパルス出力タイミングチャートに基づいて行われる第１実施例の場合と同様である。
【００９５】
そして、このＰＤＰの駆動時には、第１実施例の場合と同様に、電界遮断層２５は、電極端子を介して接地されるか、または、所要の電圧が印加されることによって、アドレス放電期間Ｗｃ（図６参照）に列電極Ｄ１と行電極Ｘ１との間で放電が発生するのを防止する所要の電位を保持するように設定される。
【００９６】
上記ＰＤＰは、その駆動時のアドレス放電期間Ｗｃに発生されるアドレス放電が、列電極Ｄ１に沿って配列された電界遮断層２５のそれぞれの間に形成されて行電極Ｙ１に対向する隙間ｓ１を介して、行電極Ｙ１と列電極Ｄ１との間で行われ、行電極Ｘ１と列電極Ｄ１との間で行われることはない。
【００９７】
すなわち、上記ＰＤＰは、列電極Ｄ１の隙間ｓ１に対向する部分以外の部分が導電材料によって形成された電界遮断層２５に対向されており、この電界遮断層２５が、前述したように、電極端子を介して接地されるか、または、所要の電圧が印加されて所要の電位、例えばデータ・パルスＤＰが印加された際の列電極Ｄ１の電位とスキャン・パルスＳＰが印加された際の透明電極Ｋａの電位のほぼ中間レベルの電位に維持されていて、データ・パルスＤＰが印加された際に列電極Ｄ１によって形成される電界が、隙間ｓ１に対向する部分以外の部分において遮断されて、放電セルＣ１内に漏れ出ないようになっている。
【００９８】
そして、列電極Ｄ１の隙間ｓ１に対向している部分と行電極Ｘ１との間の距離ｄｘが、行電極Ｙ１との間の距離ｄｙよりも大きくなっていることによって、行電極Ｘ１と列電極Ｄ１間において放電が発生される場合の放電開始電圧（Ｖｘｄ）が、行電極Ｙ１と列電極Ｄ１間のアドレス放電の放電開始電圧（Ｖｙｄ）よりも大きくなるため、放電が行電極Ｘ１と列電極Ｄ１との間で発生する前に、行電極Ｙ１と列電極Ｄ１との間で放電が開始される。
【００９９】
従って、上記ＰＤＰのように、列方向において隣接する表示ラインＬ１間において背中合わせに位置する行電極Ｘ１とＹ１がバス電極Ｋｂを共有している場合でも、バス電極Ｋｂにスキャン・パルスが印加された際に、透明電極Ｋａの行電極Ｙ１を構成する側でのみ列電極Ｄ１との間でアドレス放電が発生され、他方の行電極Ｘ１を構成する側において列電極Ｄ１との間で誤放電が発生する虞は無い。
【０１００】
そして、電界遮断層２５の電位が任意に設定されることによって、行電極Ｘ１と列電極Ｄ１間の放電開始電圧（Ｖｘｄ）と、行電極Ｙ１と列電極Ｄ１間の放電開始電圧（Ｖｙｄ）との間の選択マージンを広く取ることができ、隣接する放電セルＣ１間での誤放電の発生を確実に防止することが出来るようになる。
【０１０１】
以上のように、上記構成のＰＤＰによれば、隣接する表示ラインＬ１間において、背中合わせに位置する行電極Ｘ１とＹ１がバス電極Ｋｂを共有している場合でも、アドレス放電の際の誤放電の発生が防止されるので、プログレッシブ走査駆動が可能となり、画面のちらつきが防止されるとともに、輝度の向上が図られる。
【０１０２】
そして、上記ＰＤＰは、隣接する表示ラインＬ１間において背中合わせに位置する行電極Ｘ１とＹ１がバス電極Ｋｂを共有していることによって、表示ラインＬ１間に形成される非表示領域が従来のＰＤＰと比較して非常に小さくなるので、画面の高精細化によりパネル面における放電セルの数が増加する場合でも、放電セル一個当たりの面積を従来のＰＤＰに比べて大きくすることが出来、これによって、高精細パネルにおいても充分な輝度を確保することが出来るようになる。
【実施例３】
【０１０３】
図９および１０は、この発明によるＰＤＰの実施形態における第３実施例を示しており、図９はこの第３実施例のＰＤＰの一部を模式的に示す正面図であり、図１０は図９のＶ３−Ｖ３線における断面図である。
【０１０４】
この第３実施例のＰＤＰは、列電極保護層１４上に、第１実施例と同様の、導電材料によって形成されて透明電極Ｋａの行電極Ｙ１を構成する部分と列電極Ｄ１に対向する貫通口１５ｈを有する電界遮断層１５が、積層されて形成されていて、この電界遮断層１５によって、貫通口１５ｈに対向する部分以外の列電極保護層１４の表面が覆われている。
【０１０５】
そして、この電界遮断層１５上には、以下の様な構成の隔壁２６が形成されている。
【０１０６】
すなわち、隔壁２６は、電極によって形成される電界を遮蔽する非誘電材料によって形成され、列電極保護層１４上に背面ガラス基板１３と平行に形成された板状の隔壁底板２６Ａと、この隔壁底板２６Ａ上に一体的に形成されて、バス電極Ｋｂに対向する位置においてバス電極Ｋｂと平行に行方向に延びる横壁２６Ｂ、および、互いに隣接する列電極Ｄ１の間の中央位置に対向する位置においてそれぞれ列電極Ｄ１と平行に列方向に延びる縦壁２６Ｃとによって構成されている。
【０１０７】
そして、この隔壁２５の隔壁底板２６Ａには、それぞれ電界遮断層１５の貫通口１５ｈに対向する位置に、貫通孔２６ｈが形成されている。
【０１０８】
この隔壁２６の隔壁底板２６Ａの厚さは、列電極Ｄ１にデータ・パルスが印加された際に、貫通口２６ｈ以外の部分において、列電極Ｄ１によって形成される電界が放電空間内に漏れ出るのを防止する大きさに設定されている。
【０１０９】
この隔壁２６の横壁２６Ｂと縦壁２６Ｃによって、前面ガラス基板１０と背面ガラス基板１３の間の放電空間が略方形の放電セルＣ１毎に区画されて、この放電セルＣ１がパネル面にマトリクス状に配置されている。
【０１１０】
この各放電セルＣ１内の隔壁２６の隔壁底板２６Ａ上および横壁２６Ｂ、縦壁２６Ｃの各側面の五つの面に、赤，緑，青の蛍光体層１７が形成されて、この蛍光体層１７によって色分けされた放電セルＣ１が、行方向に赤，緑，青の順に並ぶように配置されている。
【０１１１】
この第３実施例のＰＤＰの他の部分の構成は第１実施例と同様であり、図９および１０において第１実施例と同一の構成部分については、図４および５と同一の符号が付されている。
【０１１２】
上記構成のＰＤＰの駆動方法は、図６に示されるパルス出力タイミングチャートに基づいて行われる第１実施例の場合と同様である。
【０１１３】
そして、このＰＤＰの駆動時には、第１実施例の場合と同様に、電界遮断層１５は、電極端子を介して接地されるか、または、所要の電圧が印加されることによって、アドレス放電期間Ｗｃ（図６参照）に列電極Ｄ１と行電極Ｘ１との間で放電が発生するのを防止する所要の電位を保持するように設定される。
【０１１４】
上記ＰＤＰは、その駆動時のアドレス放電期間Ｗｃに発生されるアドレス放電が、それぞれ行電極Ｙ１に対向する位置に形成された電界遮断層１５の貫通口１５ｈおよび隔壁底板２６Ａの貫通孔２６ｈを介して行電極Ｙ１と列電極Ｄ１との間で行われ、行電極Ｘ１と列電極Ｄ１との間で行われることはない。
【０１１５】
すなわち、上記ＰＤＰの列電極Ｄ１は、貫通口１５ｈに対向する部分以外の部分が導電材料によって形成された電界遮断層２５に対向され、さらに、貫通孔２６ｈに対向する部分以外の部分が非誘電材料によって形成された隔壁底板２６Ａに対向されており、そして、電界遮断層１５が、前述したように、電極端子を介して接地されるか、または、所要の電圧が印加されて所要の電位、例えばデータ・パルスＤＰが印加された際の列電極Ｄ１の電位とスキャン・パルスＳＰが印加された際の透明電極Ｋａの電位のほぼ中間レベルの電位に維持されていて、データ・パルスＤＰが印加された際に列電極Ｄ１によって形成される電界が、貫通口１５ｈと貫通孔２６ｈに対向する部分以外の部分において遮断されて、放電セルＣ１内に漏れ出ないようになっている。
【０１１６】
そして、列電極Ｄ１の貫通口１５ｈおよび貫通孔２６ｈに対向している部分と行電極Ｘ１との間の距離ｄｘが、行電極Ｙ１との間の距離ｄｙよりも大きくなっていることによって、行電極Ｘ１と列電極Ｄ１間において放電が発生される場合の放電開始電圧（Ｖｘｄ）が、行電極Ｙ１と列電極Ｄ１間のアドレス放電の放電開始電圧（Ｖｙｄ）よりも大きくなるため、放電が行電極Ｘ１と列電極Ｄ１との間で発生する前に、行電極Ｙ１と列電極Ｄ１との間で放電が開始される。
【０１１７】
従って、上記ＰＤＰのように、列方向において隣接する表示ラインＬ１間において背中合わせに位置する行電極Ｘ１とＹ１がバス電極Ｋｂを共有している場合でも、バス電極Ｋｂにスキャン・パルスが印加された際に、透明電極Ｋａの行電極Ｙ１を構成する側でのみ列電極Ｄ１との間でアドレス放電が発生され、他方の行電極Ｘ１を構成する側において列電極Ｄ１との間で誤放電が発生する虞は無い。
【０１１８】
そして、電界遮断層１５の電位が任意に設定されることによって、行電極Ｘ１と列電極Ｄ１間の放電開始電圧（Ｖｘｄ）と、行電極Ｙ１と列電極Ｄ１間の放電開始電圧（Ｖｙｄ）との間の選択マージンを広く取ることができ、隣接する放電セルＣ１間での誤放電の発生を確実に防止することが出来るようになる。
【０１１９】
以上のように、上記構成のＰＤＰによれば、隣接する表示ラインＬ１間において、背中合わせに位置する行電極Ｘ１とＹ１がバス電極Ｋｂが共有されている場合でも、アドレス放電の際の誤放電の発生が防止されるので、プログレッシブ走査駆動が可能となり、画面のちらつきが防止されるとともに、輝度の向上が図られる。
【０１２０】
そして、上記ＰＤＰは、隣接する表示ラインＬ１間において背中合わせに位置する行電極Ｘ１とＹ１がバス電極Ｋｂを共有していることによって、表示ラインＬ１間に形成される非表示領域が従来のＰＤＰと比較して非常に小さくなるので、画面の高精細化によりパネル面における放電セルの数が増加する場合でも、放電セル一個当たりの面積を従来のＰＤＰに比べて大きくすることが出来、これによって、高精細パネルにおいても充分な輝度を確保することが出来るようになる。
【０１２１】
図１１は、上記第３実施例におけるＰＤＰの変形例を示している。
【０１２２】
上述した図９および１０のＰＤＰは、電界遮断層１５が列電極保護層１４上に形成されて隔壁２６の隔壁底板２６Ａとの間に挟まれた状態で配置されていたのに対し、図１１に示されるＰＤＰは、隔壁３６の隔壁底板３６Ａが列電極保護層１４上に形成され、この隔壁底板３６Ａ上に電界遮断層１５Ａが形成された構成を備えている。
【０１２３】
隔壁３６の形成材料および形状は、隔壁底板３６Ａと格子形状を構成する横壁３６Ｂおよび縦壁が別体に形成される点以外は、図９および１０のＰＤＰの隔壁２６と同様であり、隔壁底板３６Ａの行電極Ｙ１と列電極Ｄ１に対向する位置に貫通孔３６ｈが形成されている。
【０１２４】
そして、電界遮断層１５Ａの形成材料および形状も図９および１０のＰＤＰの電界遮断層１５と同様であり、行電極Ｙ１と列電極Ｄ１に対向する位置に貫通口１５Ａｈが形成されて、隔壁底板３６Ａの貫通孔３６ｈに対向されている。
【０１２５】
図１２は、上記第３実施例におけるＰＤＰの他の変形例を示している。
【０１２６】
上述した図９および１０のＰＤＰは、電界遮断層１５が列電極保護層１４上に形成されて隔壁２６の隔壁底板２６Ａとの間に挟まれた状態で配置されていたのに対し、図１２に示されるＰＤＰは、隔壁４６の隔壁底板４６Ａが列電極保護層１４上に形成され、この隔壁底板３６Ａ内に電界遮断層１５Ｂが位置するように配置された構成を備えている。
【０１２７】
隔壁４６の形成材料および形状は、図９および１０のＰＤＰの隔壁２６と同様であり、隔壁底板４６Ａの行電極Ｙ１と列電極Ｄ１に対向する位置に貫通孔４６ｈが形成されている。
【０１２８】
そして、電界遮断層１５Ｂの形成材料および形状も図９および１０のＰＤＰの電界遮断層１５と同様であり、行電極Ｙ１と列電極Ｄ１に対向する位置に貫通口１５Ｂｈが形成されて、隔壁底板４６Ａの貫通孔４６ｈに対向されている。
【０１２９】
この図１１および１２のＰＤＰの駆動方法および隔壁３６，４６の隔壁底板３６Ａ，４６Ａと電界遮断層１５Ａ、１５Ｂの作動およびその技術的効果については、図９および１０のＰＤＰとほぼ同様である。
【実施例４】
【０１３０】
図１３および１４は、この発明によるＰＤＰの実施形態における第４実施例を示しており、図１３はこの第４実施例のＰＤＰの一部を模式的に示す正面図であり、図１４は図１３のＶ４−Ｖ４線における断面図である。
【０１３１】
この第４実施例におけるＰＤＰは、列電極以外の部分の構成は、前述した第１実施例のＰＤＰと同様であり、図１３および１４において同一の構成部分については図４および５と同一の符号が付されている。
【０１３２】
図１３および１４において、背面ガラス基板１３の前面ガラス基板１０と対向する側の面上に形成される列電極Ｄ２は、各透明電極Ｋａの行電極Ｙ１を構成する部分とバス電極Ｋｂに対向する部分においてくの字状に屈曲して行方向の一方向（この例では、図１３において右方向）に張り出すように成形された張出部Ｄ２ａと、各透明電極Ｋａの行電極Ｘ１を構成する部分と放電ギャップｇ１に対向する区間において、隔壁１６の縦壁１６Ｂに対向する位置を列方向に直線状に延びる直線部Ｄ２ｂとによって構成されている。
【０１３３】
そして、この列電極Ｄ２の張出部Ｄ２ａの部分が、列電極Ｄ２を被覆する列電極保護層１４上に形成された電界遮断層１５の貫通口１５ｈに対向されていて、この貫通口１５ｈを介して各透明電極Ｋａの行電極Ｙ１を構成する部分に対向されている。
【０１３４】
導電材料によって形成された電界遮断層１５は、図示しない電極端子が接続されて、第１実施例の場合と同様に、電極端子を介して所要の電位を保持する様になっている。
【０１３５】
上記構成のＰＤＰの駆動方法は、図６に示されるパルス出力タイミングチャートに基づいて行われる第１実施例の場合と同様である。
【０１３６】
そして、このＰＤＰの駆動時には、第１実施例の場合と同様に、電界遮断層１５は、電極端子を介して接地されるか、または、所要の電圧が印加されることによって、アドレス放電期間Ｗｃ（図６参照）に列電極Ｄ２の直線部Ｄ２ｂと行電極Ｘ１との間で放電が発生するのを防止する所要の電位を保持するように設定される。
【０１３７】
上記ＰＤＰは、その駆動時のアドレス放電期間Ｗｃに発生されるアドレス放電が、電界遮断層１５の貫通口１５ｈを介して行電極Ｙ１と列電極Ｄ２の張出部Ｄ２ａとの間で行われ、行電極Ｘ１と列電極Ｄ２の直線部Ｄ２ｂとの間で行われることはない。
【０１３８】
すなわち、上記ＰＤＰは、列電極Ｄ２の貫通口１５ｈに対向する張出部Ｄ２ａ以外の部分が導電材料によって形成された電界遮断層１５に覆われており、この電界遮断層１５が、前述したように、電極端子を介して接地されるか、または、所要の電圧が印加されて所要の電位、例えばデータ・パルスＤＰが印加された際の列電極Ｄ２の電位とスキャン・パルスＳＰが印加された際の透明電極Ｋａの電位のほぼ中間レベルの電位に維持されていて、データ・パルスＤＰが印加された際に列電極Ｄ２によって形成される電界が、貫通口１５ｈに対向する張出部Ｄ２ａ以外の部分において遮断されて、放電セルＣ１内に漏れ出ないようになっている。
【０１３９】
そして、列電極Ｄ２の張出部Ｄ２ａと行電極Ｘ１との間の距離ｄｘが、行電極Ｙ１との間の距離ｄｙよりも大きくなっていることによって、行電極Ｘ１と列電極Ｄ２間において放電が発生される場合の放電開始電圧（Ｖｘｄ）が、行電極Ｙ１と列電極Ｄ２間のアドレス放電の放電開始電圧（Ｖｙｄ）よりも大きくなる。
【０１４０】
さらに、行電極Ｙ１と列電極Ｄ２との対向面積が、列電極Ｄ２の張出部Ｄ２ａにより、行電極Ｘ１と列電極Ｄ２との対向面積よりも大きくなっていることによっても、行電極Ｘ１と列電極Ｄ２の間で放電が発生する場合の放電開始電圧よりも、行電極Ｙ１と列電極Ｄ２の間で発生する放電の放電開始電圧が小さくなる。
【０１４１】
これによって、アドレス放電が、行電極Ｘ１と列電極Ｄ２との間で発生する前に行電極Ｙ１と列電極Ｄ２の張出部Ｄ２ａとの間で開始される。
【０１４２】
従って、上記ＰＤＰのように、列方向において隣接する表示ラインＬ１間において背中合わせに位置する行電極Ｘ１とＹ１がバス電極Ｋｂを共有している場合でも、バス電極Ｋｂにスキャン・パルスが印加された際に、透明電極Ｋａの行電極Ｙ１を構成する側でのみ列電極Ｄ２との間でアドレス放電が発生され、他方の行電極Ｘ１を構成する側において列電極Ｄ２との間で誤放電が発生する虞は無い。
【０１４３】
そして、電界遮断層１５の電位が任意に設定されることによって、行電極Ｘ１と列電極Ｄ２間の放電開始電圧（Ｖｘｄ）と、行電極Ｙ１と列電極Ｄ２間の放電開始電圧（Ｖｙｄ）との間の選択マージンを広く取ることができ、隣接する放電セルＣ１間での誤放電の発生を確実に防止することが出来るようになる。
【０１４４】
以上のように、上記構成のＰＤＰによれば、隣接する表示ラインＬ１間において、背中合わせに位置する行電極Ｘ１とＹ１がバス電極Ｋｂが共有されている場合でも、アドレス放電の際の誤放電の発生が防止されるので、プログレッシブ走査駆動が可能となり、画面のちらつきが防止されるとともに、輝度の向上が図られる。
【０１４５】
そして、上記ＰＤＰは、隣接する表示ラインＬ１間において背中合わせに位置する行電極Ｘ１とＹ１がバス電極Ｋｂを共有していることによって、表示ラインＬ１間に形成される非表示領域が従来のＰＤＰと比較して非常に小さくなるので、画面の高精細化によりパネル面における放電セルの数が増加する場合でも、放電セル一個当たりの面積を従来のＰＤＰに比べて大きくすることが出来、これによって、高精細パネルにおいても充分な輝度を確保することが出来るようになる。
【実施例５】
【０１４６】
図１５および１６は、この発明によるＰＤＰの実施形態における第５実施例を示しており、図１５はこの第５実施例のＰＤＰの一部を模式的に示す正面図であり、図１６は図１５のＶ５−Ｖ５線における断面図である。
【０１４７】
この第５実施例におけるＰＤＰは、電界遮断層以外の部分の構成は、前述した第４実施例のＰＤＰと同様であり、図１５および１６において同一の構成部分については図１３および１４と同一の符号が付されている。
【０１４８】
図１５および１６において、列電極保護層１４上に行方向に帯状に延びる複数の電界遮断層３５が導電材料によって形成されており、各電界遮断層３５は、列方向の幅が放電セルＣ１の列方向の幅よりも短い底板部３５Ａと、この底板部３５Ａの端縁部からほぼ直角向きに立ち上がる側板部３５Ｂとから構成されていて、略Ｌ字形の側面形状を有している。
【０１４９】
そして、この電界遮断層３５および列電極保護層１４上に横壁１６Ａと縦壁１６Ｂによって略格子状に成形された隔壁１６が形成されている。
【０１５０】
電界遮断層３５は、それぞれ、底板部３５Ａが、列電極保護層１４の列電極Ｄ２の張出部Ｄ２ａに対向する部分と列方向において反対側の部分上に位置され、側板部３５Ｂが、列電極Ｄ２の張出部Ｄ２ａが位置している側と反対側に位置する横壁１６Ａの側面に当接される位置に配置されていて、この底板部３５Ａの側板部３５Ｂと反対側の端縁部と、列電極Ｄ２の張出部Ｄ２ａが位置している側の横壁１６Ａの側面との間の行電極Ｙ１および列電極Ｄ２の張出部Ｄ２ａに対向する位置に、隙間ｓ２が形成されている。
【０１５１】
さらに、この導電材料によって形成された電界遮断層３５は、図示しない電極端子が接続されて、第１実施例の場合と同様に、電極端子を介して所要の電位を保持する様になっている。
【０１５２】
上記構成のＰＤＰの駆動方法は、図６に示されるパルス出力タイミングチャートに基づいて行われる第１実施例の場合と同様である。
【０１５３】
そして、このＰＤＰの駆動時には、第１実施例の場合と同様に、電界遮断層３５は、電極端子を介して接地されるか、または、所要の電圧が印加されることによって、アドレス放電期間Ｗｃ（図６参照）に列電極Ｄ２の直線部Ｄ２ｂと行電極Ｘ１との間で放電が発生するのを防止する所要の電位を保持するように設定される。
【０１５４】
上記ＰＤＰは、その駆動時のアドレス放電期間Ｗｃに発生されるアドレス放電が、電界遮断層３５の底板部３５Ａと縦壁１６Ｂとの間に形成された隙間ｓ２を介して行電極Ｙ１と列電極Ｄ２の張出部Ｄ２ａとの間で行われ、行電極Ｘ１と列電極Ｄ２の直線部Ｄ２ｂとの間で行われることはない。
【０１５５】
すなわち、上記ＰＤＰは、列電極Ｄ２の隙間ｓ２に対向する張出部Ｄ２ａ以外の部分が導電材料によって形成された電界遮断層３５に対向されており、この電界遮断層３５が、前述したように、電極端子を介して接地されるか、または、所要の電圧が印加されて所要の電位、例えばデータ・パルスＤＰが印加された際の列電極Ｄ２の電位とスキャン・パルスＳＰが印加された際の透明電極Ｋａの電位のほぼ中間レベルの電位に維持されていて、データ・パルスＤＰが印加された際に列電極Ｄ２によって形成される電界が、隙間ｓ２に対向する張出部Ｄ２ａ以外の部分において遮断されて、放電セルＣ１内に漏れ出ないようになっている。
【０１５６】
このとき、電界遮断層３５は、側板部３５Ｂが横壁１６Ａの列電極Ｄ２の張出部Ｄ２ａが位置する側と反対側の側面を覆うように位置されているので、この側板部３５Ｂが張出部Ｄ２ａと列方向において隣接する他の放電セルＣ１に対向している行電極Ｘ１との間に介在されることによって、列電極Ｄ２の張出部Ｄ２ａによって形成される電界が、隣接する他の放電セルＣ１内に漏れ出るのがより確実に防止される。
【０１５７】
そして、列電極Ｄ２の張出部Ｄ２ａと行電極Ｘ１との間の距離ｄｘが、行電極Ｙ１との間の距離ｄｙよりも大きくなっていることによって、行電極Ｘ１と列電極Ｄ２間において放電が発生される場合の放電開始電圧（Ｖｘｄ）が、行電極Ｙ１と列電極Ｄ２間のアドレス放電の放電開始電圧（Ｖｙｄ）よりも大きくなる。
【０１５８】
さらに、行電極Ｙ１と列電極Ｄ２との対向面積が、列電極Ｄ２の張出部Ｄ２ａにより、行電極Ｘ１と列電極Ｄ２との対向面積よりも大きくなっていることによっても、行電極Ｘ１と列電極Ｄ２の間で放電が発生する場合の放電開始電圧よりも、行電極Ｙ１と列電極Ｄ２の間で発生する放電の放電開始電圧が小さくなる。
【０１５９】
これによって、アドレス放電が、行電極Ｘ１と列電極Ｄ２との間で発生する前に行電極Ｙ１と列電極Ｄ２の張出部Ｄ２ａとの間で開始される。
【０１６０】
従って、上記ＰＤＰのように、列方向において隣接する表示ラインＬ１間において背中合わせに位置する行電極Ｘ１とＹ１がバス電極Ｋｂを共有している場合でも、バス電極Ｋｂにスキャン・パルスが印加された際に、透明電極Ｋａの行電極Ｙ１を構成する側でのみ列電極Ｄ２との間でアドレス放電が発生され、他方の行電極Ｘ１を構成する側において列電極Ｄ２との間で誤放電が発生する虞は無い。
【０１６１】
そして、電界遮断層３５の電位が任意に設定されることによって、行電極Ｘ１と列電極Ｄ２間の放電開始電圧（Ｖｘｄ）と、行電極Ｙ１と列電極Ｄ２間の放電開始電圧（Ｖｙｄ）との間の選択マージンを広く取ることができ、隣接する放電セルＣ１間での誤放電の発生を確実に防止することが出来るようになる。
【０１６２】
以上のように、上記構成のＰＤＰによれば、隣接する表示ラインＬ１間において、背中合わせに位置する行電極Ｘ１とＹ１がバス電極Ｋｂが共有されている場合でも、アドレス放電の際の誤放電の発生が防止されるので、プログレッシブ走査駆動が可能となり、画面のちらつきが防止されるとともに、輝度の向上が図られる。
【０１６３】
そして、上記ＰＤＰは、隣接する表示ラインＬ１間において背中合わせに位置する行電極Ｘ１とＹ１がバス電極Ｋｂを共有していることによって、表示ラインＬ１間に形成される非表示領域が従来のＰＤＰと比較して非常に小さくなるので、画面の高精細化によりパネル面における放電セルの数が増加する場合でも、放電セル一個当たりの面積を従来のＰＤＰに比べて大きくすることが出来、これによって、高精細パネルにおいても充分な輝度を確保することが出来るようになる。
【０１６４】
上記各実施例のＰＤＰは、一対の基板が放電空間を介して互いに対向され、この一対の基板のうちの一方の基板側に、行方向に帯状に延びるとともに列方向に放電ギャップを介して並設された複数の行電極が設けられ、行電極の列方向の一方の側が第１行電極部を構成し、他方の側が第２行電極部を構成し、この行電極の一方の側の第１行電極部と隣接する他の行電極の他方の側の第２行電極部が放電ギャップを介して対向されて、それぞれ表示ラインを形成する行電極対を構成し、一対の基板のうちの他方の基板側に、列方向に延び行方向に並設された複数の列電極が設けられて、それぞれ交差する行電極対との間の放電空間に単位発光領域が形成され、一対の基板の間の列電極の第２行電極部に対向する部分以外の部分を覆う位置に、導電材料によって形成されて列電極と第１行電極部との間において所要の電位を保持する電界遮断層が配置されている実施形態のＰＤＰを、その上位概念の実施形態としている。
【０１６５】
この実施形態によるＰＤＰは、行電極にスキャン・パルスが印加され、列電極に選択的にデータ・パルスが印加されて、スキャン・パルスが印加された行電極の第２行電極部とデータ・パルスが印加された列電極との間でアドレス放電が発生され、このアドレス放電が発生される際に、行電極にスキャン・パルスが印加されると、この行電極の第１行電極部にも電位が発生するが、第１行電極部と列電極との間に介在されている電界遮断層が所要の電位を保持することによって、列電極の第１行電極部に対向する部分によって形成される電界が電界遮断層によって遮断されて、列電極と第１行電極部との間で放電が発生するのが阻止される。
【０１６６】
従って、上記実施形態のＰＤＰによれば、隣接する表示ライン間において、背中合わせに位置する第１行電極部と第２行電極部が一体に形成されている場合でも、アドレス放電の際の列電極と第１行電極部との間での誤放電の発生が防止されるので、プログレッシブ走査駆動が可能となり、画面のちらつきが防止されるとともに、輝度の向上が図られる。
【０１６７】
そして、上記ＰＤＰは、隣接する表示ライン間において背中合わせに位置する第１行電極部と第２行電極部が一体に形成されていることによって、表示ライン間に形成される非表示領域が従来のＰＤＰと比較して非常に小さくなり、画面の高精細化によりパネル面における放電セルの数が増加する場合でも、単位発光領域一個当たりの面積を従来のＰＤＰに比べて大きくすることが出来るので、充分な輝度を確保しながら画面の高精細化を図ることが可能となる。
【図面の簡単な説明】
【０１６８】
【図１】従来例を示す正面図である。
【図２】図１のＶ−Ｖ線における断面図である。
【図３】図１のＷ−Ｗ線における断面図である。
【図４】この発明の実施形態における第１実施例を模式的に示す正面図である。
【図５】図４のＶ１−Ｖ１線における断面図である。
【図６】同実施例におけるＰＤＰの駆動方法を示すパルス出力タイミング・チャートである。
【図７】この発明の実施形態における第２実施例を模式的に示す正面図である。
【図８】図７のＶ２−Ｖ２線における断面図である。
【図９】この発明の実施形態における第３実施例を模式的に示す正面図である。
【図１０】図９のＶ３−Ｖ３線における断面図である。
【図１１】同実施例の変形例を模式的に示す正面図である。
【図１２】同実施例の他の変形例を模式的に示す正面図である。
【図１３】この発明の実施形態における第４実施例を模式的に示す正面図である。
【図１４】図１３のＶ４−Ｖ４線における断面図である。
【図１５】この発明の実施形態における第５実施例を模式的に示す正面図である。
【図１６】図１４のＶ５−Ｖ５線における断面図である。
【符号の説明】
【０１６９】
１０              …前面ガラス基板（一方の基板）
１１              …誘電体層
１３              …背面ガラス基板（他方の基板）
１４              …列電極保護層
１５，１５Ａ，１５Ｂ，２５，３５  …電界遮断層
１５ｈ，１５Ａｈ，１５Ｂｈ        …貫通口
１６，２６，３６，４６            …隔壁
２６Ａ，３６Ａ，４６Ａ            …隔壁底板（非誘電体層）
２６ｈ，３６ｈ，４６ｈ            …貫通孔
３５Ａ            …底板部
３５Ｂ            …側板部
Ｃ１              …放電セル（単位発光領域）
Ｄ１，Ｄ２        …列電極
Ｄ２ａ            …張出部
Ｄ２ｂ            …直線部
Ｋａ              …透明電極
Ｋｂ              …バス電極
Ｘ１              …行電極（第１行電極部）
Ｙ１              …行電極（第２行電極部）
ＲＰａ，ＲＰｂ    …リセット・パルス
ＳＰ              …スキャン・パルス
ＶＰｅ            …負電圧パルス（電圧パルス）
ＶＰｏ            …正電圧パルス（電圧パルス）
ＩＰ              …サステイン・パルス
ＤＰ              …データ・パルス
ｓ１、ｓ２        …隙間
【図１】
2008016373.tif 000003
【図２】
2008016373.tif 000004
【図３】
2008016373.tif 000005
【図４】
2008016373.tif 000006
【図５】
2008016373.tif 000007
【図６】
2008016373.tif 000008
【図７】
2008016373.tif 000009
【図８】
2008016373.tif 000010
【図９】
2008016373.tif 000011
【図１０】
2008016373.tif 000012
【図１１】
2008016373.tif 000013
【図１２】
2008016373.tif 000014
【図１３】
2008016373.tif 000015
【図１４】
2008016373.tif 000016
【図１５】
2008016373.tif 000017
【図１６】
2008016373.tif 000018